(57)【要約】【課題】少ない部品や光源によりつまみの任意の場所を好みの輝度に照明することができ、しかもつまみの周囲の光漏れを防止できるつまみ照明部の構造を提供する。【解決手段】つまみ４の背後に光源２が配置され、光源からの光によりつまみ４の背後を照明するつまみ照明部を光源２とその周囲に配置される遮光性のある反射部材７により構成し、光源２をつまみ４の方向から見た正面に反射部材７の少なくとも一部７ａが配置される。【選択図】        図２
2005106581.tif 000002
【特許請求の範囲】
【請求項１】
つまみの背後に光源が配置され、前記光源からの光により前記つまみの背後を照明するつまみ照明部を光源とその周囲に配置される遮光性のある反射部材により構成し、光源をつまみの方向から見た正面に前記反射部材の少なくとも一部が配置されることを特徴とするつまみ照明部の構造。
【請求項２】
共通の光源により複数のつまみを照明するように構成した請求項１のつまみ照明部の構造。
【請求項３】
前記反射部材が前記光源が取付けられる基板に対して傾斜した反射面を有する請求項１または２のつまみ照明部の構造。
【請求項４】
光源の正面に反射部材を設け、この反射部材の周囲に隙間を形成し、前記反射部材の光源対向面に形成する肉盛部または、前記隙間に光源から離れる方向に延出する垂直反射面の少なくとも一方を設けたことを特徴とする請求項１または２のつまみ照明部の構造。
【発明の詳細な説明】
【技術分野】
【０００１】
この発明はつまみ照明部の構造に係わり、特に、つまみを背後から照明する照明部の構造に関する。
【背景技術】
【０００２】
従来のつまみを背後から照明する照明部の構造の例を図７および図８により説明する。図７は従来のつまみ照明部を示す正面図、図８は図７におけるＢ−Ｂ断面図である。図７および図８に示すように、大型つまみ４はパネル３から突出するように配置されており、ばねの弾力により突出方向に付勢されている。大型つまみ４を押し込むと図示していないスイッチが作動される。
【０００３】
図８に示すようにパネル３の背後に配置された基板１にはＬＥＤ等の光源２が取付けられており、基板１の上には光源２からの光を大型つまみ４に導く導光部材２０が配置されている。導光部材２０はアクリルやポリカーボネート等の透明材で作られており、屈折や乱反射を利用して光源の光を多数の照明部に集光したり減光できる構造となっている。この例では導光部材２０にＶ字形凹みや傾斜面が設けられている。これらのＶ字形凹みや傾斜面により図８に黒矢印で示すように集光され、図７に示す照明部４ａ，４ｂ、４ｃが明るく照明される。
【０００４】
この照明部の構造によると、少ない光源で多くの照明部を光らせることができるが、導光部材２０が透明であるため、大型つまみ４の全体に光が導かれ、光らせたくない部分も光っていた。また、導光部材２０を通り矢印で示すように大型つまみ４に光漏れ２２が発生するという問題があった。光漏れを防止するためには別途、遮光材となる部品や塗装等を追加する必要があった。また、照明部の輝度を変化させたり、光りむらを調整することが困難であり、照明状態を変更するために掛かる費用も大きかった。
【０００５】
図９につまみを背後から照明する照明部の他の従来の例を示す。この例では、パネル３の背後に配置された基板１には光源２、２…が取付けられており、基板１の上には光源２２…からの光を大型つまみ４に向けて反射する反射部材２１が配置されている。反射部材２１は遮光性のあるＡＢＳ等の材料で作られており、光源２、２…の周囲に大型つまみ４の周囲に光りが漏れることを防止する垂直面が形成されている。
【０００６】
この照明部の構造によると、反射部材２１の他に部品を追加することなく、つまみの外の光らせたくない部分の遮光を行うことができるが、導光部材により光を導くことをしないため、照明部をむらなく光らせるためには多数の光源が必要であった。また、光源の光が直接照明部に達するため、照明部の輝度や光りむらの調整を行うことができなかった。  特開平７−５２８１号公報に提案された多連ボタンの照明機構は、サークル内で分割された複数のボタンの周囲にリング状の発光部（導部材）を配置してリング状の発光部により複数のボタンの周囲を照明する。この照明機構は光源の光を導部材により複数のボタンに導くことができるが、ボタンの周囲にリング状の発光部が配置されるため、ボタンの周囲のみが照明され、ボタンの中心部を照明することができなかった。
【特許文献１】特開平７−５２８１号公報２〜３頁、図２
【発明の開示】
【発明が解決しようとする課題】
【０００７】
この発明は上記した点に鑑みてなされたものであって、その目的とするところは、少ない部品や光源によりつまみの任意の場所を好みの輝度に照明することができ、しかもつまみの周囲の光漏れを防止できるつまみ照明部の構造を提供することにある。
【課題を解決するための手段】
【０００８】
この発明のつまみ照明部の構造は、つまみの背後に光源が配置され、前記光源からの光により前記つまみの背後を照明するつまみ照明部を光源とその周囲に配置される遮光性のある反射部材により構成し、光源をつまみの方向から見た正面に前記反射部材の少なくとも一部が配置されるものである。
【０００９】
また、前記つまみ照明部の構造において、共通の光源により複数のつまみを照明するように構成したものである。
【００１０】
また、前記各つまみ照明部の構造において、前記反射部材が前記光源が取付けられる基板に対して傾斜した反射面を有するものである。
【００１１】
また、同各つまみ照明部の構造において、光源の正面に反射部材を設け、この反射部材の周囲に隙間を形成し、前記反射部材の光源対向面に形成する肉盛部または、前記隙間に光源から離れる方向に延出する垂直反射面の少なくとも一方を設けたものである。
【発明の効果】
【００１２】
この発明のつまみ照明部の構造によれば、少ない部品や光源によりつまみの任意の場所を好みの輝度に照明することができ、しかもつまみの周囲の光漏れを防止できる。
【発明を実施するための最良の形態】
【００１３】
以下この発明を実施するための最良の形態を実施例に即して説明する。
【実施例１】
【００１４】
図１（ａ）はこの発明の実施例１のつまみ照明部をつまみを除いて示す斜視図、図１（ｂ）は同つまみ照明部をつまみを除いて示す正面図、図２は図１（ｂ）におけるＡ−Ａ断面図である。図１に示す反射部材７はＡＢＳ等の遮光性のある材料で作られており、図２に示すように基板１に取付けられた光源２の正面に配置された正面反射部７ａ、７ａ…を備え、正面反射部７ａ、７ａ…の間には隙間７ｃ、７ｃ…が形成されている。
【００１５】
また、正面反射部７ａ、７ａの端部に垂直に立上部が形成されており、その内側に、垂直反射面７ｂ、７ｂが形成されている。また反射部材７の内面側部には傾斜反射面７ｄ、７ｄが形成されている。また、基板１の光源２の周囲に反射面１ａが形成されている。
【００１６】
このような反射部材７の前面に大型つまみ４が図１に示すパネル３から突出するように配置され、図示していないばねによりパネル３から突出する方向に付勢されており、大型つまみ４を押すことにより図示していないスイッチを作動できる。
【００１７】
図２に示すように、光源２からの光は正面反射部７ａ、７ａ…および反射面１ａ、傾斜反射面７ｄで繰り返し反射され、隙間７ｃ、７ｃ…から出て大型つまみ４を背後から照明する。また、隙間７ｃから出て垂直反射面７ｂで反射される光も大型つまみ４を背後から照明する。反射部材７の色は白に近いものがよく、若干光を透過するものも使用できる。このように大型つまみ４は反射光により照明されるので、直射光で照明するものに比べて極端な照明むらが生じない。
【００１８】
上記の反射面を種々に変化させることにより照明の具合を多彩に変化させることができる。例えば、図３に示すように、垂直に立上部に肉盛部７ｅ、７ｅを設けると、中央照明部の中央付近の光が強くなり、正面反射部７ａの下面に肉盛部７ｆを設けると点線で示した光線が遮られるため隙間７ｃに到達する光が弱くなり、中央照明部を全体に暗くすることができる。
【００１９】
このような肉盛は金型切削により調整することができ設計変更が容易である。さらに、反射面１ａの色を変化させることにより全体的な光量を変化させることができる。
【実施例２】
【００２０】
図４（ａ）はこの発明の実施例２のつまみ照明部を示す断面図である。この例では反射部材８に正面反射部８ａおよび垂直反射部８ｂが形成されており、基板１に設けられた光源２からの光は垂直反射部８ｂで反射され、正面反射部８ａと垂直反射部８ｂの隙間から出て単つまみ５を照明する。
【００２１】
なお、正面反射部８ａと基板１で繰り返し反射される光も単つまみ５を照明する。このような構成により、単つまみを照明する場合の光むら、光量（輝度）を調整できる。特に、光漏れを防止する上で有効な構造である。
【実施例３】
【００２２】
図４（ｂ）はこの発明の実施例３のつまみ照明部を示す断面図である。この例では反射部材９に正面反射部９ａおよび傾斜反射面９ｂが形成されており、正面反射部９ａの間から出た光により単つまみ５を照明し、正面反射部９ａと基板１の反射面１ａで繰り返し反射されさら傾斜反射面９ｂで反射された光により採光部材６を照明する。この例によると、採光部材６は例えばＣＤの挿入口等を間接の弱い光で光らせることができる。
【実施例４】
【００２３】
図５はこの発明の実施例４のつまみ照明部を示す断面図である。この例では反射部材１０に正面反射部１０ａおよび傾斜反射面１０ｂが形成されており、正面反射部１０ａは下方に突出するように構成され、面取部１０ｃおよび１０ｄが設けられている。
【００２４】
基板１に設けられた光源２からの光は正面反射部１０ａおよび傾斜反射面１０ｂの間の隙間から出てつまみを照明する。このうよな構成により面取部１０ｃおよび１０ｄの形状を変化させることで光量およびその分布を調整することができる。
【実施例５】
【００２５】
図６はこの発明の実施例５のつまみ照明部を示す断面図である。この例では実施例１の反射部材７と実施例２の反射部材８とが一体に連なった構成の反射部材１１を用いて大型つまみ４と単つまみ５が照明される。
【００２６】
すなわち、反射部材１１の左側部分の正面反射部１１ａ、垂直反射面１１ｂおよび傾斜反射部１１ｄで反射された光により大型つまみ４が照明され、反射部材１１の左側部分の正面反射部１１ａ、垂直反射部１１ｅで反射された光により単つまみ５が照明される。
【００２７】
この構成により実施例１および実施例２の効果が得らる。また、大型つまみ４と単つまみ５との隙間が小さい場合の光漏れを防止することは従来の技術で困難であったが、この実施例では簡単な構成により光漏れを完全に防止できる。
【図面の簡単な説明】
【００２８】
【図１】図１（ａ）はこの発明の実施例１のつまみ照明部をつまみを除いて示す斜視図、図１（ｂ）は同つまみ照明部をつまみを除いて示す正面図である。
【図２】図１（ｂ）におけるＡ−Ａ断面図である。
【図３】図２における部分拡大図である。
【図４】図４（ａ）はこの発明の実施例２のつまみ照明部を示す断面図、図４（ｂ）はこの発明の実施例３の採光部材照明部を示す断面図である。
【図５】この発明の実施例４のつまみ照明部を示す断面図である。
【図６】この発明の実施例５のつまみ照明部を示す断面図である。
【図７】従来のつまみ照明部を示す正面図である。
【図８】図７におけるＢ−Ｂ断面図である。
【図９】従来のつまみ照明部の他の例を示す断面図である。
【符号の説明】
【００２９】
１  基板、１ａ  反射面
２  光源
３  パネル
４  大型つまみ、４ａ，４ｂ、４ｃ  照明部
５  単つまみ
６  採光部材
７  反射部材、７ａ  正面反射部、７ｂ  垂直反射面、７ｃ  隙間、７ｄ  傾斜反射面  ７ｅ、７ｆ  肉盛部
８  反射部材、８ａ  正面反射部、８ｂ  垂直反射部
９  反射部材、９ａ  正面反射部、９ｂ  傾斜反射面
１０  反射部材、１０ａ  正面反射部、１０ｂ  傾斜反射部、１０ｃ、１０ｄ  面取部  １１  反射部材、１１ａ  正面反射部、１１ｂ  垂直反射面、１１ｄ  傾斜反射部
１１ｅ  垂直反射部
２０  導光部材
２１  反射部材
２２  光漏れ
【図１】
2005106581.tif 000003
【図２】
2005106581.tif 000004
【図３】
2005106581.tif 000005
【図４】
2005106581.tif 000006
【図５】
2005106581.tif 000007
【図６】
2005106581.tif 000008
【図７】
2005106581.tif 000009
【図８】
2005106581.tif 000010
【図９】
2005106581.tif 000011